(57)【要約】      （修正有）【課題】一般的な水質改善・改質を目的とする浄水器は高額なセラミックス玉やフィルターから構成されています。そしてこれらのセラミックス玉やフィルターには耐用期間・期限等が有ります。したがって耐用期間・期限等がなく、ひとたび使い始めますと半永久的に使う事が可能な、資源リサイクル型浄水器の提供。【解決手段】極めて限られたスペースの中、または小規模な回転体などの中で、効率的に配置・配列された自然素材から成る特殊波動素材を細かく砕いた素子（１０）、極めて高い固有振動数を発し、水道水又は水溶液などが回転子（７）の中で適度な固有振動をし、水道水又は水溶液などへ適度な遠赤外線曲線が加わる事で、水道水又は水溶液などの固有クラスターの改善効果に対して、限りなく効率が良い方法と手段です。又、回転子（３）の中へ水道水又は水溶液などが滞在する時間を少しでも長くする為の工夫が凝らされています。【選択図】図１
2008012503.tif 000002
【特許請求の範囲】
【請求項１】
水質改善装置の本発明は近年に様々な箇所や場面にて排泄される様々な生活生ゴミや、生活ゴミなどにより、あちらこちらの河川・池・湖沼・海などの水質が著しく悪化しています。
本発明では、自然素材から成る特殊波動素材を活用した水質改善装置を提案致しました。本発明に登場する自然素材から成る特殊波動素材とは、特殊波動石の事を意味しております。（そして特殊波動石とは、発明家の藤原喜将がこれまでに研究開発の、波動的なエネルギー効能・効果・効率等が他の波動素子や波動素材等と比較し、特別、格段に優れた石素材です。例えばトルマリンなどの様に外部からの衝撃やエネルギーなどを受ける事で、波動的なエネルギーを外部へ発射する仕組みとは異なり、常に自然的な状態でも波動的なエネルギーを放出します。更に、外部からの衝撃やエネルギーなどを受ける事で、より一層の波動的なエネルギーの放出をもたらす特殊な石や岩盤などの事です。）を意味しています。以後の説明には簡略して特殊波動石の事を特殊波動素材と表現して本文の説明に使って参ります。又、［図１］から［図９］へ登場の［符号の説明］に付きまして、ここでは各部図面と言う表現方法にて進めて参ります。  本発明は、主に、各部図面の（１）水質改善装置の本体カバーの部と、各部図面の（３）水質改善装置の回転子の回転の部、そして、各部図面の（４）水質改善装置の回転子の固定の部から成る装置へ、先に述べました特殊波動素材を、各部図面の（２）水質改善装置の回転子の中へ特殊波動素材を細かく砕いた素子を入れた物の部、更に、各部図面の（１）の周りへ各部図面の（１０）水質改善装置の本体カバーの中へ特殊波動素材を適度な大きさに砕いた素子を入れた物の部から成りたっております。そしてこの装置の各部分へは、各部図面の（８）水質改善装置の回転子へセットされた磁石の部と、各部図面の（９）水質改善装置の固定子へセットされた磁石の部が用意されています。［図１］又は、［図２］に記載された大型矢印（水又は水溶液の流れる方向）と記された方向から、水又は、水溶液などが流れ込む事で、各部図面の（３）水質改善装置の回転子の回転の部を押します。その動力は、やがては（３）の回転部を、各部図面の（１２）水道水又は、水溶液などの流れの方向へ回転を始めます。この時の水又は、水溶液などの一部は、各部図面の（７）水道水又は、水溶液など回転子の中へ出入りする為の出入口の部から侵入します。そして各部図面の（２）水質改善装置の回転子の中へ特殊波動素材を細かく砕いた素子を入れた物の部と交わり、特殊波動素材を細かく砕いた素子に適度な水圧と水流などにより固有振動が始まります。この固有振動などにより特殊波動素材がぶつかり合ったり、擦れ合ったりする事などで、極めて高い固有振動数＝固有振動周波数（Ｈｚ）が発生します。この固有振動周波数（Ｈｚ）が各部図面の（５）水道水又は、水溶液などが揺れたり、移動又は、変化したり流動などをする事で、（５）水道水又は、水溶液などの固有クラスター（粒子の大きさを意味）が、本来のクラスターへ限りなく戻したり、又は、それ以上に細かいクラスターに改善改質をする事などが可能な発明です。本発明で申し上げた（５）水道水又は、水溶液などとは、水を始めとした様々な（液状・液化・液体・水溶性液状物質・半固体状及び、半固体状＋半液体状）などの物質を意味しております。
【請求項２】
本発明は、水質改善装置の各部図面の（２）水質改善装置の回転子の中へ特殊波動素材を細かく砕いた素子を入れた物の部と、各部図面の（３）水質改善装置の回転子の回転の部以外に、各部図面の（８）水質改善装置の回転子へセットされた磁石の部、そして各部図面の（９）水質改善装置の本体側へセットされた磁石の部が付加されております。
［図１］と［図３］には、（８）と（９）の磁石がＮ極とＮ極の同位磁極がセットされています。このＮ極とＮ極の同位磁極から、Ｎ極とＳ極の異磁極の時と比較して、数倍から数十倍以上の吸引力と相反する反対側に働く力、すなわち反発力が加わっております。  状況次第では、数倍から数十倍以上の反発力が加わる場合があります。そして、この反発力により、その磁石の間を流れるようとする（５）水道水又は、水溶液などには、磁石の反発作用から成る磁力線により、水道水又は、水溶液などが元々から持っている固有クラスター（水粒などの大きさの事を意味しています。）に多大な負担（ストレス）が加わります。そして、このストレスが原因で、水道水又は、水溶液などの固有クラスターに著しく圧迫力が加わり、固有クラスターをより一層細かくする事が可能なテクノロジーです。更に、このテクノロジーは、もう一つの方法が有ります。それは、［図２］と［図４］へ記す、（８）と（９）の磁石の配列の方法です。ここでは（９）の磁石はＮ極とＮ極の同位磁極がセットされていますが、（８）の磁石はＮ極とＳ極の異磁極がセットされています。この方式は、（５）水道水又は、水溶液などの種類や性質そして特性などにより磁力の加わり方を変える目的から考案されたものです。本発明の指示・表現方法はこの二通りの図解にて説明して参りましたが、これらの他に、各部図面の（９）水質改善装置の本体側ヘセットされた磁石の他に、水質改善装置本体の外部にて、磁石の数量や磁束密度の強度を二重・三重又は、それら以上に複数個・複数列・複数組を積み重ねてみる、又は、様々な並べ方を変化する事などで、更にはその反対に数量や磁束密度の強度などを少なくする事などにより、水道水又は、水溶液などの種類や性質そして特性などクラスターの改善（水質改善）に応えられる事が可能となります。本発明は、更に、これらの磁石を各部図面の（１）水質改善装置の本体カバーの部へ取り付ける方式の他に、水質改善装置の本体の内部、例えば、回転体を囲む籠の周囲へ磁石（単個から複数個・複数列・複数組など）を施す事で、更には、回転側へも、磁石（単個から複数個・複数列・複数組など）を施す事で、より効果的な水質改善の効果・効能が期待できる発明です。
【請求項３】
本発明は、各部図面の（２）水質改善装置の回転子の中へ特殊波動素材を細かく砕いた素子を入れた物の部、そして、各部図面の（１０）水質改善装置の本体カバーの中へ特殊波動素材を適度な大きさに砕いた素子を入れた物の部が設けられています。この（２）と（１０）との間には、適度な隙間が用意されています。この隙間との間には、各部図面の（５）水道水又は、水溶液などが満ち溢れています。（２）の特殊波動素材と（１０）の特殊波動素材との間で、例えば（５）が停止状態で有っても、これら（２）と（１０）の特殊波動素材からは、日常的に遠赤外線が放たれています。この遠赤外線によって、（５）の水道水又は、水溶液などへは常に遠赤外線が照射されている事で、（５）のクラスター値は時間とともにクラスター値が細かく成る方向へと変化を続けています。しかしながら、この（５）の水道水などが流動を開始する事で、（２）の特殊波動素材を細かく砕いた素子に適度な水圧と水流などによる固有振動が始まります。この時、（２）と（１０）との間には、それぞれが異なった遠赤外線放射が（曲線的なカーブ）を描き、この曲線により、（５）水道水又は、水溶液などへは、より一層の変化した遠赤外線曲線が加わる事により、水道水又は、水溶液などが元々から持っている固有クラスター（水粒などの大きさの事を意味しています。）に多大な負担（ストレス）が加わります。そして、このストレスが原因で、水道水又は、水溶液などの固有クラスターに著しく圧迫力が加わり、固有クラスターをより一層細かくする事が可能なテクノロジーです。
【発明の詳細な説明】
【技術分野】
【０００１】本発明は、磁石のＮ極とＮ極の同位磁極そして、Ｎ極とＳ極の異磁極から成る反発力と吸引力のコラボレーション、そして特殊波動素材が持つ持続性が可能な遠赤外線のパワーを合体した技術です。
【背景技術】
【０００２】これまでの水質改善・改質には様々な製品や装置・機械などが世に出回って来ました。しかしながら、例えば、セラミックス玉などを生かした浄水器など、殆んどの製品や装置・機器などには、おおよその、限りとされた耐用期間・期限等が有りました。
しかしながら、この本発明に使われております、特殊波動素材には、限りとされた耐用期間・期限等が全くと言ってございません。簡単に申しますと、半永久的に波動効果が持続可能と言う事なのです。これまでの、セラミックス玉やフィルターなどと比較して、従来の様な取替え・交換等の操作などが全くと言って不要と成ります。限られた資源のわが国、そしてこの地球にて、この素材の開発と発明は、今後の地球の資源エネルギー的な観点からして、大変に効果的・効率的な背景が考えられる新らたなる技術です。更に、磁石のＮ極とＮ極の同位磁極とＮ極とＳ極の異磁極のから成る反発力と吸引力の相乗効果を調和させる事で従来より安価で、より効果・効能的な水質改善装置が完成できます。【０００３】本発明は、水質改善・改質事業的な観点から見ても、大変に期待が考えられる発明です。そして、この水質改善・改質には、この他に様々な期待と希望が考えられます。
例えば、河川・池・湖沼・海などの水質が向上する事で、将来的には、可能性としては昭和３０代の海や河川などの綺麗な環境が蘇がえる事を期待が出来たり、水道水に含まれたカルキ（殺菌用の塩素）などが原因とするプールなどで、子供たちがゴーグルなどを施していても、眼が赤くなったり、皮膚障害などの人的障害の原因や結果的出来事が目立つ昨今です。この特殊波動素材を活用した本発明では、水又は、水溶液などの固有クラスターの改善・改質の効果、（水又は、水溶液など１粒当たりに対して、塩素分子粒が何個を必要とされる適合濃度が、水又は、水溶液など水粒の大きさが小型化する事で、塩素粒の絶対数が減ずる事により、塩素が持つ本来の毒性の作用を抑制する事が可能と成ります。）が期待できる事で、例えば水道水に含まれるカルキの殺菌効果などを減衰させる事が無く、又、カルキの濃度も減らす事が無く、人畜などに対して毒性が無力化が出来る事が可能と成ります。よって、例えば、人畜などの生態系の異変や遺伝子破壊などの改善に貢献が可能な発明です。もっと身近な表現をすれば、例えばカルキ（塩素）による皮膚障害や近年多くの問題と成っている、アトピー障害などの減少に繋がる事も可能な発明です。
【特許文献１】特開２００２−１２６７４５建物内の給配水管は築２０年以上も経過すると赤錆やスケールが付着して、配管を激しく老朽化させ、水質を低下させて飲料水として使用できない事態になる。さらに【特許文献３７】特開２００２−３６１２６２建物内の給配水管は築２０年以上も経過すると赤錆やスケールが付して、配管を激しく老朽化させ、水質を低下させて飲料水として使用できない事態になる。更に進行【特許文献３】特開平０５−２９３４９１多極式磁場と遠赤外線との相乗効果による水質改良を図ろうとするものである。
【構成】
水道管等を通水する被処理水の給水管１の外周を中央に挟んで装着できる
【特許文献４】特開２００５−０００９００
【課題】
建物内の給配水管は築２５年以上も経過すると赤錆やスケールが付着して、配管を激しく老朽化させ、水質を低下させて飲料水として使用できない事態になる。、
【特許文献５】特開２００２−３６１２６２
【課題】
建物内の給配水管は築２０年以上も経過すると赤錆やスケールが付して、配管を激しく老朽化させ、水質を低下させて飲料水として使用できない事態になる。
【特許文献６】特開２００２−１２６７４５
【課題】
建物内の給配水管は築２０年以上も経過すると赤錆やスケールが付着して、配管を激しく老朽化させ、水質を低下させて飲料水として使用できない事態になる。
【特許文献７】特開平１１−１９２４７９
【課題】
水の分子運動を活発化させてプラスイオン及びマイナスイオンを発生させて汚れを剥離させることにより強力な洗浄力を有する処理水を生成可能とする
【特許文献８】特開平０９−００１１３３
【目的】
水を抗酸化力、抗菌力などを有するものに水質変換させる。
【構成】
一端を水の流入口１ａとし、他端を水の流出口１ｂとした所要の長さを有
【特許文献９】特開平０８−２０６６９０
【目的】
上水、工業用水等に遠赤外線を放射させると同時に磁場を通過させ、これらの水を改質する用水処理装置。
【構成】
上水又は工業用水等をセラミック充填層を通過
【特許文献１０】特開平０７−３３０４２２
【目的】
遠赤外線と磁力作用により水のクラスタを細分化し、水のＰＨの中性化，ミネラル化を促進し、水を活性化し良質の臭みのない美味な水を得る。また、防錆，私どもからの意見書としまして、下記の文言を意見させて頂きました。
［特許文献１］特開２００２−１２６７４５から［特許文献１０］特開平０７−３３０４２２迄の内容を、特許庁データベースより検索致しました。  そして、本発明と原理も仕掛けも全く異なる発明です。なぜなら、本発明は形状が固体状・粉体状更には様々な形態を持った、自然素材から成る特殊波動素材を自然体で使う。それと、磁石の反発力と吸引力の相乗効果を調和させた発明です。又、本発明の場合は、人為的な一切の操作などを施す事の無く、最も自然な活用を促す発明です。類似特許の検索を幾つも試みましたが、誰がどの様な観点から見ましても充分に、異なるかと存じますが、あえて、ここへ異なる点を申上げ致しました。
【発明の開示】
【発明が解決しようとする課題】
【０００４】本発明が解決しようとする課題は、一般的な商品の水質改善・改質を目的とする浄水器などには、本体の中へ大変に高額な、セラミックス玉やフィルターから成る構造で出来ております。そしてこれらの、セラミックス玉やフィルターにはおおよその、限りとされた耐用期間・期限等が有ります。しかしながら本発明で使われる、形状が固体状・粉体状更には様々な形態を持った、自然素材から成る特殊波動素材には、特別に限りとされた耐用期間・期限等が有りませんので、ひとたび使い始めますと半永久的に使う事が可能です。よって限られた資源のわが国を始めとして、全世界的に見ても循環型資源のリサイクルとしても、大変に優れた資源のリサイクル活用を考える大変に優れた発明です。
【課題を解決するための手段】
【０００５】本発明が課題とする解決の手段は、極めて限られた体積・容積・環境などの中で、従来に無い小規模なスペースの回転体などの中で、より少ない量の自然素材から成る特殊波動素材を、効率的に配置・配列もしくは、調合等によって仕上られた、（１０）と（２）特殊波動素材を細かく砕いた素子が発する、極めて高い固有振動数＝固有振動周波数（Ｈｚ）が、水道水又は、水溶液などが（７）の回転子の中で適度な固有振動を働きかける事により、（５）水道水又は、水溶液などへ適度な遠赤外線曲線が加わる事で、水道水又は、水溶液などの固有クラスターの改善効果に対して、限りなく効率が良い方法と手段です。又、（３）の回転子の中へ水道水又は、水溶液などが滞在する時間を少しでも多く維持する為の、工夫を凝らした画期的な発明です。
【発明の効果】
【０００６】これまでは、限られた敷地などで例えば、小さな池や限られた面積のプールなどへ塩素を混入する事で水質の悪化を防いで参りました。そこで本発明の効果としては、これまでの塩素がもたらす消毒効果や、塩素濃度を変化させず、人体への悪影響を無力化させる事が可能としたらどんなに素晴らしい発明でしょうか。そして、更に水質改善・改質を考えた発明でも有ります。ここでは、一般家庭から工場や水道関係の事業団などへ活用が可能な水質改善装置使って説明ですが、この水質改善装置をもっとスケールを高め考えを進めて参りますと、末は全世界・全地球的な環境改善・改質へと発明の効果が予測されます。一人の個人的な考えからすれば、小さな貯め池程度もしくは、個人的な一戸の水質改善装置で終わりますが、この考えを地域規模もしくは、それら以上の大きなグループ的事業と考えたりする事で、もつと大々的な水質事業の改善・改質を考えた場合、時には国家的規模の企画や事業として考えを展開して行く事で、末は全世界的、全地球的な環境改善・改質へと効果が考えられる発明です。  その上、塩素がもたらす人畜などへの悪影響を無力化が可能と成ったら、地球の未来の子供たちへ遺産として後継ぎが期待出来る発明です。
【発明を実施するための最良の形態】
【０００７】これまでは、限られた一般家庭の水質改善装置のなど例えば、小さな水保存用のタンクや限られた面積の水道水タンクなどへ塩素を混入する事で水質の悪化を防いで参りました。水質改善・改質を考えた方法として、これまでに様々なシステムが考えられて参りましたが、本発明は人為的産物による、例えばＰＣＢ  ポリ塩化ビフェニル（Ｐｏｌｙｃｈｌｏｒｉｎａｔｅｄ  Ｂｉｐｈｅｎｙｌ）の略称で、炭素、水素、塩素からなる物質。（電気機器の絶縁油や熱媒体などに使用され、トランスなどにも活用されて来た）このＰＣＢが開発された頃は、大変に優れた素材として、もてはやされて参りましたが、近年では南極などの極地でペンギンの体内から沢山のＰＣＢが発見されたと言う白書など、大変な問題と課題をなげかけております。しかしながらこの本発明の特殊波動素材は、自然界から何らの人為的な操作が成される必要がなく、ただ単に形状や大きさなどを変えるだけで、科学的な操作や遺伝子的な操作など人為的な操作や過程などは一切施す事の無い全くのクリーンな環境と常態で仕上る事が出来る発明です。昨今、近未来の脅威が色々な形で問題を取り上げられております。本発明はこれらの脅威から地球や人畜などを守り、地球規模の温暖化現象、環境破壊における危機から守る事が期待が可能です。これらの原理と理由そして訳などからして、ここへ本発明を実施するための最良の形態として掲げました。
【実施例１】
【０００８】本発明の実施例１としまして、老人ホーム・介護施設・病院や家庭などの水質改善・改質を考えた省エネ・エコロジーなアイテムとしての適用が考えられます。
【実施例２】
【０００９】本発明の実施例２としまして、地球規模で水質改善・改質を考えた装置や装備、そして施設や建物などで人々の多くが集まる場所などの水質改善装置。
【実施例３】
【００１０】本発明の実施例３としまして、小型の水質改善装置などに限らず、その他の形・形状が異なるもっと大きな水質改善装置などを作成して、国家的な水道事業団体等が保有する水の浄化システムなどへの適用が考えられます。
【実施例４】
【００１１】本発明の実施例４としまして、一般的なプール・温水式プール・温泉・スーパー銭湯などの水を使った、公共的な施設・設備の水質改善・改質を充分に考慮する必要が考えられる場所などへの適用が考えられます。
【産業上の利用可能性】
【００１２】本発明は、水道関係及び、水質改善・改質の装置として様々な産業上で利用の可能性が考えられます。これらの可能性の一つに、プール・温泉・スーパー銭湯・老人ホーム・介護施設・病院や家庭などへの適用が考えられます。更に（［図１］から［図９］）のデザインを色々と改善（一新）する事により、ファッションや美的感覚要素を重視した、として地域や国家的な、一大プロジェクトシステム事業などへの利用・適用・採用などが充分に考えられます。
【図面の簡単な説明】
【００１３】
【図１】本発明の側面図（水質改善装置の側面カバーを取り除いた状態の側面図１）
【図２】本発明の側面図（水質改善装置の側面カバーを取り除いた状態の側面図２）
【図３】本発明の正面図（水質改善装置の正面カバーを取り除いた状態の正面図１）
【図４】本発明の正面図（水質改善装置の正面カバーを取り除いた状態の正面図２）
【図５】本発明の上面図（水質改善装置の上面カバーを取り除いた状態の上面図１）
【図６】本発明の上面図（水質改善装置の上面カバーを取り除いた状態の上面図２）
【図７】本発明の底面図（水質改善装置の上面カバーを取り付けた状態の底面図）
【図８】本発明の底面図（水質改善装置の底面カバーを取り除いた状態の底面図）
【図９】本発明の底面図（水質改善装置の底面カバーを取り付けた状態の底面図）
【符号の説明】
【００１４】（１）水質改善装置の本体カバーの部  （２）水質改善装置の回転子の中へ特殊波動素材を細かく砕いた素子を入れた物の部  （３）水質改善装置の回転子の回転の部  （４）水質改善装置の回転子の固定の部  （５）水道水又は、水溶液などの部  （６）水質改善装置の回転子の回転軸の部  （７）水道水又は、水溶液など回転子の中へ出入りする為の出入口の部  （８）水質改善装置の回転子へセットされた磁石の部  （９）水質改善装置の本体側へセットされた磁石の部  （１０）水質改善装置の本体カバーの中へ特殊波動素材を適度な大きさに砕いた素子を入れた物の部  （１１）他の設備と繋ぎ合わせる為の継ぎ手の部  （１２）水道水又は、水溶液などの流れの方向を示す矢印の部
【図１】
2008012503.tif 000003
【図２】
2008012503.tif 000004
【図３】
2008012503.tif 000005
【図４】
2008012503.tif 000006
【図５】
2008012503.tif 000007
【図６】
2008012503.tif 000008
【図７】
2008012503.tif 000009
【図８】
2008012503.tif 000010
【図９】
2008012503.tif 000011